(57)【特許請求の範囲】
【請求項１】
輸液チューブ内の薬液を送液する医療用ポンプであって、
被覆面を有するポンプ本体と、前記被覆面を被覆可能なドア部と、前記ドア部と前記ポンプ本体とを回動自在に接続するヒンジ部と、を有し、
前記ヒンジ部は、前記ドア部に接続されるドア側部分と、前記ドア側部分に回動自在に接続されかつ前記ポンプ本体に接続される本体側部分と、を有し、
前記本体側部分の上側には、排水用の樋部が形成され、
前記樋部は、前記被覆面の外周側へ向かって下る勾配を有することを特徴とする医療用ポンプ。
【請求項２】
請求項１に記載の医療用ポンプにおいて、
前記被覆面には、前記本体側部分の上縁に沿って、前記樋部を形成する止水壁が設けられていることを特徴とする医療用ポンプ。
【請求項３】
請求項２に記載の医療用ポンプにおいて、
前記止水壁の上面が、前記被覆面から突出する方向に向かって水平面に対して上向きの角度で形成されていることを特徴とする医療用ポンプ。
【請求項４】
請求項２または請求項３に記載の医療用ポンプにおいて、
前記止水壁は、前記本体側部分の側縁および下縁に沿って延びていることを特徴とする医療用ポンプ。
【請求項５】
請求項１に記載の医療用ポンプにおいて、
前記本体側部分は前記被覆面から突出され、前記本体側部分の上面は前記被覆面から突出する方向に向かって水平面に対して上向きの角度で形成され、
前記樋部は、前記被覆面と前記本体側部分の上面とにより形成されていることを特徴とする医療用ポンプ。
【発明の詳細な説明】
【技術分野】
【０００１】
本発明は、医療用ポンプに関する。
【背景技術】
【０００２】
医療現場において、輸液チューブ内の薬液を送液する医療用ポンプが利用されている。
医療用ポンプとしては、輸液チューブが装着される前面に開閉式のドアを有し、開状態でチューブの装着などの操作を行うとともに、閉状態ではチューブの装着部分を被覆するものが多用されている。
医療用ポンプでは、開閉式のドアとするために、ドアをヒンジ部で回動自在に支持することが行われている。
また、医療ポンプでは、使用時に薬液の滴下などが避けられないが、滴下した薬液がドア内に進入することを防止するために、開閉式のドアの裏側にドアシールゴムを設け、本体の被覆面との間で接合シール面を形成することがなされている（特許文献１、段落００８０参照）。
【先行技術文献】
【特許文献】
【０００３】
【特許文献１】特許第４７５４９１７号公報
【発明の概要】
【発明が解決しようとする課題】
【０００４】
前述のような医療用ポンプにおいて、ドアの隙間に滴下した薬液は、ドアシールゴムによって内部への進入を阻止される。
しかし、ドアを支持するヒンジ部は、ドアの側縁部分に設置され、ドアシールゴムではヒンジ部への薬液の浸入を十分に防ぐことができない。このため、侵入した薬液がヒンジ部に付着し、滞留することがある。
ヒンジ部は、ドアとポンプ本体との間の狭小部分に設定され、クロスなどで拭き取ることが難しく、清掃が容易でないという問題があった。
【０００５】
本発明の目的は、ヒンジ部への薬液付着を抑制できる医療用ポンプを提供することにある。
【課題を解決するための手段】
【０００６】
本発明の医療用ポンプは、輸液チューブ内の薬液を送液する医療用ポンプであって、被覆面を有するポンプ本体と、前記被覆面を被覆可能なドア部と、前記ドア部と前記ポンプ本体とを回動自在に接続するヒンジ部と、を有し、前記ヒンジ部は、前記ドア部に接続されるドア側部分と、前記ドア側部分に回動自在に接続されかつ前記ポンプ本体に接続される本体側部分と、を有し、前記本体側部分の上側には、排水用の樋部が形成されていることを特徴とする。
【０００７】
本発明の医療用ポンプにおいて、前記本体側部分の上縁に沿って、前記樋部を形成する止水壁が設けられていることが望ましい。
本発明の医療用ポンプにおいて、前記止水壁の上面が、水平面に対して上向きの角度で形成されていることが望ましい。
本発明の医療用ポンプにおいて、前記止水壁は、前記本体側部分の側縁および下縁に沿って延びていることが望ましい。
【０００８】
本発明の医療用ポンプにおいて、前記本体側部分は前記被覆面から突出され、前記本体側部分の上面は水平面に対して上向きの角度で形成され、前記樋部は、前記被覆面と前記本体側部分の上面とにより形成されていることが望ましい。
【０００９】
本発明の医療用ポンプにおいて、前記樋部は、前記被覆面の外周側へ向かって下る勾配を有することが望ましい。
本発明の医療用ポンプにおいて、前記樋部は、前記被覆面の外周側と反対方向に下る勾配を有し、前記樋部の下方には、前記被覆面の外周側へ向かって下る勾配を有する補助樋部が形成されていることが望ましい。
【発明の効果】
【００１０】
本発明によれば、薬液の滴下があっても、薬液を樋部で受けて排出することで、ヒンジ部への到達を回避でき、これによりヒンジ部への薬液付着を抑制でき、清掃を簡略化できる医療用ポンプを提供することができる。
【図面の簡単な説明】
【００１１】
【図１】本発明の一実施形態の外観を示す斜視図。
【図２】前記実施形態のドア開状態を示す斜視図。
【図３】前記実施形態のドア開状態を示す正面図。
【図４】前記実施形態のドア閉状態を示す拡大平断面図。
【図５】前記実施形態の上側樋部を示す拡大正面図。
【図６】前記実施形態の下側樋部示す拡大正面図。
【図７】前記実施形態の樋部（Ａ）および他の実施形態（Ｂ）を示す断面図。
【図８】それぞれ他の実施形態の樋部（Ａ）（Ｂ）を示す断面図。
【図９】さらに他の実施形態の樋部を示す断面図。
【発明を実施するための形態】
【００１２】
図１、図２および図３において、医療用ポンプ１は、輸液チューブ２を装着された状態で、この輸液チューブ２内の薬液を送液する装置である。
医療用ポンプ１は、箱状の本体１０と、その前面を覆う開閉式のドア２０とを備え、ドア２０の表面には、開閉操作用のレバー３、操作部４および表示部５が設置されている。
【００１３】
本体１０は、ドア２０で覆われる前面が被覆面１１とされている。被覆面１１は、略垂直な平面であるが、僅かな角度（例えば垂直方向に対して６．５度）で上向きに傾斜されている。
被覆面１１には、図２および図３に示すように、輸液チューブ２を保持する保持部１２、輸液チューブ２を外部から押圧して薬液を圧送するポンプ部１３、輸液チューブ２をクランプするチューブクランプ部１４、輸液チューブ２に装着されているクリップを収容するクリップクランプ部１５を備えている。
【００１４】
ドア２０は、被覆面１１の一方の側縁に配置された複数のヒンジ部２１により、本体１０に対して回動自在に接続されている。
ヒンジ部２１の回動軸線２２（図２参照）は、上下方向であって被覆面１１に対して平行に配置され、従って垂直方向に対して被覆面１１と同じ僅かな角度だけ傾いている。
ドア２０は、この回動軸線２２を中心に、閉状態（図１に示す状態）から開状態（図２および図３に示す状態）まで回動可能である。
【００１５】
図３および図４に示すように、ヒンジ部２１は、シャフト２１０で回動自在に連結された本体側部分２１１およびドア側部分２１２を備えている。
シャフト２１０は、回動軸線２２上に配置された軸部材である。
本体側部分２１１は、被覆面１１に形成された凹部に収容されてねじ止めされた部材であり、一端にシャフト２１０が挿通されている。
ドア側部分２１２は、本体側部分２１１を両側から挟むように、ドア２０を形成する部材の一部に連続的に形成されており、シャフト２１０の両端を支持している。
従って、本体側部分２１１とドア側部分２１２とは、シャフト２１０を軸として、互いに回動軸線２２まわりに回動可能である。
このようなヒンジ部２１により、ドア２０は、本体１０に対して、回動軸線２２を軸として回動し、開閉が可能とされている。
【００１６】
本体１０の被覆面１１には、本体側部分２１１の上側ないし側縁に樋部３０が形成されている。
図７（Ａ）に示すように、本体１０の被覆面１１には、本体側部分２１１を収容する凹部１１１の上側辺縁に沿って、被覆面１１から直角に立ち上がる止水壁３１が形成されている。
前述の通り、被覆面１１は傾斜されており、この被覆面１１から、直角に形成された止水壁３１は、先端側が上向きとなるため、被覆面１１との間に窪みが形成され、これにより樋部３０が構成されている。すなわち、止水壁３１の上面は、水平面に対して上向きの角度で形成されている。
【００１７】
図３に示すように、本実施形態ではヒンジ部２１が上下に２つ設置されている。
樋部３０は、上側のヒンジ部２１Ａに対応する樋部３０Ａ（図５参照）と、下側のヒンジ部２１Ｂに対応する樋部３０Ｂ（図６参照）とを含む。
図５において、樋部３０Ａを形成する止水壁３１は、本体側部分２１１の上縁に沿って延びる部分３１１を有するとともに、側縁に沿った部分３１２および下縁に沿った部分３１３を有する。
図６において、樋部３０Ｂを形成する止水壁３１も、本体側部分２１１の上縁に沿って延びる部分３１１を有するとともに、側縁から下縁に沿って延びる部分３１２，３１３を有する。
【００１８】
図５および図６において、止水壁３１の部分３１１は、被覆面１１の内側から外側に向けて（図６の右側から左側に向けて）水勾配が形成され、この部分３１１に滴下した薬液は被覆面１１の外側へと排出される。
止水壁３１の部分３１２，３１３は、それぞれ本体側部分２１１の側縁および下縁に沿って形成され、止水壁３１の部分３１１で受けきれなかった薬液が進入しても、本体側部分２１１に付着したり凹部１１１に入り込んだりすることを防止できる。
さらに、止水壁３１は、上下のヒンジ部２１の間を結ぶように延びる部分３１４を有する（図３参照）。ただし、部分３１４の被覆面１１からの高さは、他の部分３１１，３１２，３１３に比べて低く形成されている。
【００１９】
このような本実施形態においては、止水壁３１の部分３１１の上面と、被覆面１１とにより、ヒンジ部２１の本体側部分２１１の上側に、排水用の樋部３０が形成される。
この樋部３０においては、止水壁３１の部分３１１に被覆面１１の内側から外側に向かう水勾配が形成されており、この部分３１１に滴下した薬液を被覆面１１の外側へと排出することができる。
また、止水壁３１の部分３１２，３１３は、それぞれ本体側部分２１１の側縁および下縁に沿って形成され、止水壁３１の部分３１１で受けきれなかった薬液に対して、本体側部分２１１を保護することができる。
このため、医療用ポンプ１に薬液が滴下し、本体１０とドア２０の隙間から入り込んだとしても、この薬液がヒンジ部２１に付着したり、凹部１１１に入り込んだりすることを防止できる。これにより、ヒンジ部２１の周辺での清掃の煩雑さを解消できるとともに、衛生的な状態を確保することができる。
【００２０】
さらに、本実施形態では、凹部１１１の周囲に止水壁３１を形成し、この止水壁３１と被覆面１１とにより樋部３０を形成するため、構造を簡単にできる。
また、止水壁３１は、被覆面１１の成形時に一体に形成することができ、製造も容易である。
さらに、止水壁３１により、凹部１１１内への薬液の進入が防止できるため、凹部１１１と本体側部分２１１との間に追加的な防水措置、例えばパッキンの設置や防水コーキングの施工を省略でき、組立ても容易かつ短時間で効率的に行うことができる。
【００２１】
なお、本発明は、前述した実施形態に限定されるものではなく、以下のような他の実施形態も本発明に含まれる。
前述した実施形態では、図７（Ａ）に示すように、被覆面１１から垂直に立ち上がる止水壁３１を形成し、その上面と被覆面１１とで樋部３０を形成した。
図７（Ｂ）に示すように、止水壁３１の上側の部分３１１の先端縁に沿って、更に立ち上がり部３１５を形成し、樋部３０をより深さの大きなものとしてもよい。
図８（Ａ）に示すように、止水壁３１の上側の部分３１１の被覆面１１に沿った部位に溝部３１６を形成し、樋部３０をより深さの大きなものとしてもよい。
【００２２】
本発明において、樋部３０を形成するのに止水壁３１を用いることは必須ではなく、本体側部分２１１の上側に排水用の樋部３０が形成できれば、他の構成を採用してもよい。
図８（Ｂ）に示すように、被覆面１１の凹部１１１にヒンジ部２１の本体側部分２１１を填め込み、その上面と被覆面１１とで樋部３０を形成してもよい。
この場合、凹部１１１と本体側部分２１１との隙間に薬液が浸み込まないように、本体側部分２１１を一巡するパッキンまたは防水コーキング１１２を施すことが望ましい。
【００２３】
前述した各実施形態では、止水壁３１の上面の角度が、被覆面１０に対して直角になるよう設けられていた。しかし、止水壁３１の上面の角度は被覆面１０に対して直角でなくてもよく、止水壁３１が水平面に対して上向きであれば樋部３０としての機能を得ることができる。
さらに、各実施形態において、止水壁３１の部分３１１の上面の、水平面に対する角度を大きくし、被覆面１０に対して勾配が急になるように鋭角にすることで、部分３１１に流れ込んできた薬液をより確実に受け止めることができる。
【００２４】
前述した各実施形態では、それぞれヒンジ部２１の上側に形成された樋部３０を、被覆面１１の内側から外側に向かう水勾配を有するものとした。しかし、この水勾配は逆であってもよい。
図９に示すように、ヒンジ部２１の上側に形成された樋部３０Ｃは、被覆面１１の内側に向けて下る水勾配とされている。樋部３０Ｃは、止水壁３１で構成され、勾配が逆であること以外は図５あるいは図６の樋部３０と同様である。
樋部３０およびヒンジ部２１の下方には、被覆面１１の外側へ向かって下る勾配を有する補助樋部３９が形成されている。補助樋部３９も、被覆面１１から立ち上がる止水壁３１で構成されている。
このような図９の実施形態では、樋部３０Ｃで受けられた薬液は、被覆面１１の内側へ流れ、本体側部分２１１の上側の部分３１１から側方の部分３１２を経て流下する。そして、補助樋部３９に受けられたのち、被覆面１１の外側へ流れ、外部へ排出される。
このような図９の実施形態によっても、前述した図１〜図６および図７（Ａ）に示した実施形態と同様な効果を得ることができる。
【００２５】
以上のような各実施形態に限らず、本発明の目的を達成できる範囲での変形などは、本発明に含まれる。
例えば、ドア２０を支持するヒンジ部２１は、２つに限らずさらに多数設けてもよい。本体側部分２１１は、被覆面１１に形成された凹部１１１に填め込まれるものに限らず、被覆面１１の表面に固定されてもよい。本体側部分２１１の固定は、ねじによる締め付け固定に限らず、他の固定手段を用いてもよい。
止水壁３１は、被覆面１１に一体成形されるものに限らず、別体の部材を被覆面１１に接合したものであってもよい。止水壁３１の各部の高さは、要求される防水性能に応じて、適宜設定すればよい。
【産業上の利用可能性】
【００２６】
本発明は、医療用ポンプに利用できる。
【符号の説明】
【００２７】
１…医療用ポンプ、２…輸液チューブ、３…レバー、４…操作部、５…表示部、１０…本体、１１…被覆面、１１１…凹部、１１２…防水コーキング、１２…保持部、１３…ポンプ部、１４…チューブクランプ部、１５…クリップクランプ部、２０…ドア、２１，２１Ａ，２１Ｂ…ヒンジ部、２１０…シャフト、２１１…本体側部分、２１２…ドア側部分、２２…回動軸線、３０，３０Ａ，３０Ｂ，３０Ｃ…樋部、３１…止水壁、３１１…上縁に沿った部分、３１２…側縁に沿った部分、３１３…下縁に沿った部分、３１４…上下を結ぶ部分、３１５…立ち上がり部、３１６…溝部、３９…補助樋部。
【図１】
0006622625.tif 000002
【図２】
0006622625.tif 000003
【図３】
0006622625.tif 000004
【図４】
0006622625.tif 000005
【図５】
0006622625.tif 000006
【図６】
0006622625.tif 000007
【図７】
0006622625.tif 000008
【図８】
0006622625.tif 000009
【図９】
0006622625.tif 000010